(57)【要約】本発明は、コード化されたデータキャリヤ（５）を読みとるための装置（９）を配設したアクセス端末（８）を経由して該データキャリヤ（５）を用いてアクセスすることが出来るシステムに係わる。該データキャリヤにおいて利用権付与承認データをコード化するために、アクセスを取得することを希望する人は、データキャリヤ（６）及び該データキャリヤ（５）をコード化するための装置の双方を保有する。該当する本人は、所望する利用権付与承認を電気通信装置を介してウエブサーバー（２）に通信し、このウエブサーバーが、利用権付与承認をカウントし、利用権付与承認データを電気通信装置を介して該データキャリヤ（５）をコード化するための装置（６）に転送するのである。【特許請求の範囲】
【請求項１】
データキャリヤの読み取り及び/又は書き込みを行う装置を配設したアクセス端末を経由してコード化データキャリヤによってアクセス可能である施設に係わるデータキャリヤ上の情報及び/又は利用権付与承認データのコード化及び/又は読み取りを行うための方法であって、
データキャリヤ（５）及び該データキャリヤ（５）の読み取りとコード化とを行うための装置（６）を保有する人が、利用権付与承認の請求書を作成しまた該データキャリヤ（５）のコード化及び/又は読み取りを行う装置（６）に電気通信装置を経由して利用権付与承認データ及び/又は情報を伝達・転送するＥＤＰプラットホームに対して電気通信装置を経由して所望とする利用権付与承認及び/又は情報を報告することを特徴とする前記方法。
【請求項２】
少なくとも一つのマイクロチップを備えたデータキャリヤ（５）を当該利用権付与承認データのコード化及び/又は読み取りを行うために使用することを特徴とする、請求項１記載の方法。
【請求項３】
非接触型のデータキャリヤ（５）を使用することを特徴とする、前記請求項１記載の方法。
【請求項４】
携帯用又は定置式の通信ターミナルを通信装置として使用することを特徴とする、前記請求項の内のいずれか一項に記載の方法。
【請求項５】
データキャリヤ（５）の読み取りとコード化とを行うための装置（６）を、ＰＣ又はその他のインフラストラクチャに接続可能であるか又は非接触型である付属装置の内部又は付属装置上に配設することを特徴とする、前記請求項の内のいずれか一項に記載の方法を実行するための装置。
【請求項６】
ＰＣに接続可能であるか又は非接触型である付属装置が、マウスパッド、マウス、キーボード又はその他の周辺機器であることを特徴とする、請求項５記載の装置。
【請求項７】
データキャリヤ（５）の読み取りとコード化とを行うための装置（６）を、通信端末の内部又はその表面上に配設することを特徴とする、請求項１乃至４の内のいずれか一項に記載の方法を実行するための装置。
【請求項８】
通信媒体が、データキャリヤ（５）及び該データキャリヤ（５）の読み取り及び/又はコード化を行うための装置（６）を内部又は表面上に配設した携帯用通信端末（１）であることを特徴とする、請求項７記載の装置。
【請求項９】
該通信媒体が、腕時計として形成された携帯用通信端末（１）であることを特徴とする、請求項８記載の装置。
【発明の詳細な説明】
【技術分野】
【０００１】
本発明は、データキャリヤの読み取り及び/又は書き込みを行う装置を配設したアクセス端末を経由してコード化データキャリヤによってアクセス可能である施設に係わるデータキャリヤ上の情報及び/又は利用権付与承認データのコード化及び/又は読み取りを行うための方法に係わる。本発明は又、かかる方法を実行するための装置にも係わる。
【背景技術】
【０００２】
このようなアクセス端末は、特に冬季スポーツ施設のリフト類に設けられる。使用するデータキャリヤは、具体的には非接触形式により通信するデータキャリヤ、特にＲＦトランスポンダーであり、アクセス端末におけるデータ通信を行うためのエネルギーが付与される。かかる非接触形式により通信するデータキャリヤは例えば、腕時計又は衣服に固定することが出来るカードと一体化することが出来る。
【０００３】
かかる利用権付与承認を購入した場合、例えば成人用終日スキーパスなどは、冬季スポーツ施設のチケット販売事務所においてデータキャリヤにコード化される。購入と共にかかるコード化を行うことは、一定の時間を要するものであるが、冬季スポーツ施設のチケット販売事務所は往々にして、特に午前中はひどく混雑し、チケット販売事務所での長い待ち時間は、多くの冬季スポーツ愛好家の苦悩に満ちた経験の一つである。
【０００４】
ＤＥ１９７０６１７４１は、携帯用電話を使用するのに必要とするスマートカード（ＳＩＭカード）に携帯用電話によるネットワークを介して種々のデータをロードし、かかるデータは、非接触形式により該スマートカードから携帯用電話のケーシングを経由して現金自動支払い機若しくはタイムレコーダーなどの装置類か又は利用権付与承認システムの何れかに転送するようにした携帯用電話を開示するものである。
【特許文献１】
ＤＥ１９７０６１７４１
【発明の開示】
【発明が解決しようとする課題】
【０００５】
本発明の課題は、チケット販売事務所を利用することなく、利用権付与承認データを有するデータキャリヤの読み取り及び/又は書き込みを行う方法及び装置を提供することである。
【課題を解決するための手段】
【０００６】
このことは、本発明に従えば請求項１において特徴づけられた方法により実現される。請求項２乃至５においては、本発明に従った方法についての好ましい実施態様が記載されている。本発明に従った方法を実施するための好ましい装置が、請求項５乃至９の目的である。
【発明を実施するための最良の形態】
【０００７】
ＥＤＰ（電子データ処理）プラットフォームに連絡する人の権利付与承認は、例えば利用権付与承認である。かかるＥＤＰプラットフォームは、例えば予約、取引などを目的とするものであり、例えばウエブサーバーにより形成される。
【０００８】
データキャリヤとしては、特にコード化可能なマイクロチップを備えた電子式データキャリヤが使用される。かかる電子式データキャリヤは、接触型データキャリヤであってもよいが、好ましくはマイクロチップとアンテナを備えたキャリヤプレート又はキャリヤフィルムの形状とした非接触方式により作動する電子式データキャリヤが使用される。
【０００９】
アクセス端末は、冬季スポーツ施設のリフト又はロープウエーに配設することが出来、データキャリヤのデータを読み取り又場合によってはデータキャリヤウエのデータをコード化するための装置を有する。データキャリヤとしてＲＦトランスポンダーを用いた場合は、かかるアクセス端末は、かかるデータキャリヤに対しては直ちにデータ通信に必要な電力を供給する。利用権付与承認が確認された場合、当該端末によって回転クロスバー又は同様の個人識別通過装置のロックが解かれる。
【００１０】
本発明に従った方法は、先ず第一に冬季スポーツ施設への利用権付与承認をコード化することを目的とするものであるが、その他のレジャー、スポーツや娯楽などの施設、例えばレジャー公園、駐車場、大規模催しや見本市など、即ち一般的にはアクセス端末を介して有効なデータキャリヤによってアクセス可能な全ての施設に対する利用権付与承認をコード化することにも使用可能である。
【００１１】
利用権付与承認を得たいと思う人は、本発明の方法についてはデータキャリヤの他に所望とする利用権付与承認データ、例えばスキー場、有効期間、終日パス、カードの形式、例えば成人又は児童、利用権付与承認された人の氏名などをウエブサーバーに伝えるのに使用出来る電気通信装置、また更には当該ウエブサーバーＭＴその他のＥＤＰプラットフォームを用いて同一又は別の電気通信装置を介して所望とする利用権付与承認データ及び/又は当該データキャリヤに関する情報をコード化するのに使用出来るコード化装置が必要である。
【００１２】
このコード化装置は、電子式データキャリヤに関するデータを接触方式又は非接触方式でコード化するために使用される従来公知のモジュール、例えばＲＦトランスポンダーであればよい。かかる電気通信装置は、電話及び/又はインターネットであればよい。
【００１３】
電気通信装置としては、通常は携帯用の又は定置式の電気通信装置を使用することが出来る。電話及びインターネットも従ってその例である。
【００１４】
所望とする利用権付与承認及び/又は情報を、例えば携帯式電話を用いてウエブサーバー又はＥＤＰプラットフォームに伝達する。かかる携帯式電話はそのために、当該情報及び/又は利用権付与承認データをデータキャリヤにコード化するのに使用するコード化装置を備えている。
【００１５】
ウエブサーバー又はその他のＥＤＰプラットフォームを用いた携帯電話の通信は、例えばＳＩＭ (short message service)又はＷＡＰ (wireless application protocol)を経由して、特にＵＳＴＭ又は同様の高速度データ通信技術に従って行われる。同様に、ウエブサーバーと好ましくは携帯電話を備えたコード化装置との間における通信も同様に、特にＳＭＳ，ＷＡＰ，ＵＳＴＭやその他同様の技術を経由して行われる。
【００１６】
本発明に従えば、好ましくは近代的な通信装置類や近代的なインフラストラクチャー、例えば種々の通信技術プラットフォーム及び/又はプロトコールを使用する。かかる通信媒体は、特に腕時計の形状を有する通信装置類であればよい。また、ＥＤＰプラットフォーム、従って例えばウエブサーバーでの利用権付与承認データ及び/又は情報、及びBluetooth-Mobilfunkによる、例えばインターネットを介したコード化及び/又は読み取り装置によるデータキャリヤのコード化を実行することも可能である。同様に、コード化されたデータをBluetooth Mobilfunkを介してコード化/読み取り装置のデータキャリヤによって読み取りすることも可能である。
【００１７】
例えば冬季スポーツ施設の利用権付与承認を取得した人は、冬季スポーツ施設又はどの他の施設又は催場に到着した際に自らの携帯電話によって、当該施設又はイベント会場に対する利用権付与承認をコード化するために利用可能である電話番号を選択してダイヤルし、次いで所望とする利用権付与承認データを例えばＳＭＳ又はＷＡＰにより伝達するのである。
【００１８】
これらのデータは、ＥＤＰプラットフォームに転送されるが、このＥＤＰプラットフォームにより先ず利用権付与承認について請求書作成が行われ且つ他方ではコード化／読み取り装置に利用権付与承認データが転送され、この装置によりデータキャリヤにコード化されるのである。これによって、このデータキャリヤは有効となり、その結果チケット売り場又はアクセス端末でのコード化が不必要となる。
【００１９】
当該データキャリヤ及び/又はデータキャリヤの読み取り及び/又はコード化のための装置は、携帯用電話のケーシングの内部又はその表面に取り付けられる。これによって、携帯用電話の蓄電池部が、データキャリヤ及びデータキャリヤのコード化及び/又は読み取り装置を収納するために適したものとなる。その理由は、これが、携帯用電話の個別に取り替え可能で、追加装備可能な部分・個所であるからである。かかる携帯用通信装置もまた、腕時計の形状を有するものであってもよい。
【００２０】
自ら所有する携帯用電話を用いてコード化することによって、アクセス端末から遠隔していても特にストレスのないコード化が可能となるが、しかしながらインターネットに接続された、公共にアクセス可能である、データキャリヤのコード化及び/又は読み取り装置をある特定の場所に設置することも可能である。
【００２１】
同様に、所望とする利用権付与承認データをＰＣとウエブサーバーとの間で転送することも行うことが出来る。好ましくはその後に、読み取り及び/又はコード化するための装置を、例えばマウスパッド、マウス、ＰＣのキーボード又は他の周辺機器装置など、ＰＣに接続可能であるか又は非接触型の付属部品の内部又はその表面に設けるのである。
【００２２】
予約された利用権付与承認に係わる請求書作成は、電話の場合は電話による請求書作成により行うことが出来、またインターネット符号化の場合は例えば通常E-Commerce（Ｅ−コマース）操作によって例えばクレジットカードにより行うことが出来る。
【００２３】
次に、本発明を添付図面によりより詳細に説明する。
【実施例１】
【００２４】
図面においては、ウエブサーバー２から携帯用電話１によって例えばスキー場、値段・料金などの申し出・オッファーが、矢印３に従って取得される。
【００２５】
この携帯用電話１は、データキャリヤ５（破線で示す）、例えばマイクロチップを備えたＲＦ−トランスポンダー、及びデータキャリヤ５又はマイクロチップをコード化するためのコード化装置６（破線で示す）を有する。
【００２６】
申し出・オッファーを受けた後、選択した冬季スポーツ施設について当該する利用権付与承認をデータキャリヤ５にコード化すればよい。このためには、携帯電話１を用いて、所望とする利用権付与承認データ、例えばスキー場、終日パス、大人などを矢印４に従ってサーバー２に転送する。当該利用権付与承認についての請求書作成のほかに、これらのデータは、矢印７に従ってサーバー２から携帯用電話１のコード化装置に転送され、これによってデータが、データキャリヤ５又はそのマイクロチップにコード化されるのである。かくしてコード化されたデータキャリヤによって、データキャリヤの読み取りを行う装置９を備えたアクセス端末８を通過することが可能となる。
【００２７】
利用権付与承認データをウエブサーバー２に転送すること及びデータキャリヤ５をコード化装置６によってコード化することもまた、インターネットを経由してBlue Tooth-Mobilfunkによっても行うことが出来るのであり、例えばwww.bluetooth.comに書き込むことが出来る。同様に、データキャリヤ５にてコード化されたデータは、Blue Tooth Mobilfunkを介して装置９によって読み取ることが出来る。
【図面の簡単な説明】
【００２８】
【図１】本発明に従った方法に係わる一つの実施態様のブロックダイアグラムを示す。
【図１】
2004528617.tif 000002
【国際公開パンフレット】
2004528617.tif 000003
2004528617.tif 000004
2004528617.tif 000005
2004528617.tif 000006
2004528617.tif 000007
2004528617.tif 000008
2004528617.tif 000009
2004528617.tif 000010
2004528617.tif 000011
2004528617.tif 000012
2004528617.tif 000013
【国際調査報告】
2004528617.tif 000014
2004528617.tif 000015
2004528617.tif 000016
2004528617.tif 000017
2004528617.tif 000018
2004528617.tif 000019
2004528617.tif 000020
2004528617.tif 000021